(57)【要約】【課題】高音スピーカ振動フイルムの構造の提供。【解決手段】本考案は一種の高音スピーカ振動フイルムの構造に関わるもので、主に高音スピーカの振動フイルムの設計を改良し、炭素繊維を乱れ糸状の方向不定の組織にし、紙または不織布組織などより構成するか、あるいは炭素繊維含量を１００％以下に下げて、有機または無機物を添加して成型する。厚みが０．０２〜０．１５ｍｍの薄い片体に仕上げる。この炭素繊維に有機または無機物を添加して作り上げた振動フイルム構造は極めて薄いため、音声振動による音質が極めて綺麗に柔らかく聞き取れるほか、構造上の硬度も炭素繊維に有機または無機物の添加により向上され、湿気や虫害による音質に影響の恐れがない特徴を有する。【選択図】図１
0003124526.tif 000002
【実用新案登録請求の範囲】
【請求項１】
炭素繊維を裁断し、乱れ糸状に分散された方向不定形状組織にし、紙シートのような薄い片体に成型加工した後、より薄い、様々な形状の高音スピーカ振動フイルムを実現することを特徴とする一種の高音スピーカ振動フイルムの構造。
【請求項２】
炭素繊維を乱れ糸状に分散された方向不定の組織にし、成型する高音スピーカ振動フイルムの炭素繊維含量を１００％以下にし、有機または無機繊維を添加できることを特徴とする請求項１記載の一種の高音スピーカ振動フイルムの構造。
【請求項３】
最終に仕上げる薄い片体の厚みは０．０２〜０．１５ｍｍであることを特徴とする請求項１記載の一種の高音スピーカ振動フイルムの構造。
【考案の詳細な説明】
【技術分野】
【０００１】
本考案は一種の高音スピーカ振動フイルムの構造、主に高音スピーカの振動フイルム（通称DOM）設計を改良し炭素繊維または有機または無機物を加えて構成する薄い片体は、音声振動に使用するとき、出力する音声は綺麗で柔らかい。さらに、構造上に相当な硬さを有するため、湿気や虫害による音質に影響の恐れがない特徴を有する。このほか、出力音声は金属製の振動フイルムに比べて、より綺麗で騒がしくない。
【背景技術】
【０００２】
公知技術の高音スピーカ振動フイルムの構造は、早期に業者は紙製材料を思案したが、紙製材料の高音スピーカ振動フイルムの構造強度が不足および湿気や虫害に弱いなどの懸念があるため、製品化に至りません。その後、金属製（マグネシウム、アルミ、チタン、ベリリウム）の高音スピーカ振動フイルムを製品化したが、これらの材質構造は強度が極めて強い、湿気や虫害の問題はなくなった。しかし、音声振動が大きくやかましいため、構造的にさらなる改善必要がある。その上、公知技術で同種類の製品構造はナイロン糸、綿線または繭糸を材料に、細かく織った生地で高音スピーカ振動フイルムを使用している。この種の材料は湿気や虫害の問題はないが、構造強度が不足しているため、音声振動の音質に濁りが残るなどの問題を残している。そのほか公知技術の製品に、プラスチック、ゴム製などの構造製品の音質は完備とは言えない。よって、構造の製品を開発する必要がある。
【０００３】
本考案者は、高音スピーカ振動フイルム構造の改良について、研究並びに試作を重ねた結果、一種新しい高音スピーカ振動フイルム構造体を考案した。この構造体により、炭素繊維または有機あるいは無機繊維を加えて製造し、極めて薄片体に成型する。この薄い片体構造体は金属製の高音スピーカ振動フイルムに比べて、構造的がより柔らかい。しかし、ナイロン糸または繭糸製の高音スピーカ振動フイルムに比べて、より硬い。前記の金属製やナイロン糸または繭糸製の高音スピーカ振動フイルムに対して、優れた音声出力を有し、その他欠点をなくし、構造的に硬さも程よいなどの特長がある。このため、音声出力の音質が綺麗で柔らかく聞き取れる。さらに、構造的にも単なる紙製より丈夫のため、湿気や虫害に強い。前記した公知技術各種の高音スピーカ振動フイルムに対して、進歩性と改良性を実現している。
【考案の開示】
【考案が解決しようとする課題】
【０００４】
図１に示すとおり、本考案は製造するとき、繊維を裁断した後、乱れ糸状に分散させる。この乱れ糸状を分散されたままに生産するか、または炭素繊維のほか有機または無機繊維（一例として、炭素繊維成分５０％のとき、有機または無機繊維５０％を添加する。炭素繊維成分８０％のとき、有機または無機繊維は２０％を添加する。）を添加して、厚みが０．０８〜０．２ｍｍ紙シートのような薄い片体にし、薄い片体を乾燥させ、高分子樹脂に含浸した後、ふたたび乾燥を行い、加熱、加圧などの工程を経て、厚み０．０２〜０．１５ｍｍまたはより薄い、様々な形状の物体に仕上げて、適切な大きさに裁断して、製品に仕上げる。
【課題を解決するための手段】
【０００５】
請求項１の考案は、炭素繊維を裁断し、乱れ糸状に分散された方向不定形状組織にし、紙シートのような薄い片体に成型加工した後、より薄い、様々な形状の高音スピーカ振動フイルムを実現することを特徴とする一種の高音スピーカ振動フイルムの構造としている。
請求項２の考案は、炭素繊維を乱れ糸状に分散された方向不定の組織にし、成型する高音スピーカ振動フイルムの炭素繊維含量を１００％以下にし、有機または無機繊維を添加できることを特徴とする請求項１記載の一種の高音スピーカ振動フイルムの構造としている。
請求項３の考案は、最終に仕上げる薄い片体の厚みは０．０２〜０．１５ｍｍであることを特徴とする請求項１記載の一種の高音スピーカ振動フイルムの構造としている。
【考案の効果】
【０００６】
本考案は高音スピーカ振動フイルムの構造高音スピーカ振動フイルム構造に対する改良で、炭素繊維を乱れ糸状方向不定に分散された組織、または炭素繊維の成分を１００％に引き下げて、有機または無機繊維と組合せた組成により、極めて薄い片体に仕上げる。この構造体は金属製高音スピーカ振動フイルム構造自体は柔らかく、ナイロン糸または繭糸製高音スピーカ振動フイルム構造に比べて硬い、適切な硬さの特長がある。このため、音声出力の音質が清楚で柔らかい一種新しい高音スピーカ振動フイルム構造を提供する。
【考案を実施するための最良の形態】
【０００７】
図２に示すものは、本考案は炭素繊維含量５０％の例である。まず、炭素繊維１を裁断した後、乱れ糸状に分散させ、有機繊維２（ガラス繊維、無機繊維などによる実施でも良い）たとえば５０％の紙系繊維を添加して、厚みが０．０８〜０．２ｍｍ紙シートのような薄い片体にし、薄い片体を乾燥させ、高分子樹脂に含浸した後、ふたたび乾燥させ、引き続き加熱、加圧して、厚み０．０２〜０．１５ｍｍまたはより薄い、半円球状、ラッパー状など様々な形状の高音スピーカ振動フイルムに仕上げて、所要寸法に裁断した後、スピーカ・リング３の周りに貼り付けて、固定することにより、軽薄で、適切な硬さを有する綺麗で柔らかい音質の高音スピーカ振動フイルムを実現できる。
【０００８】
本考案の主な目的は、高音スピーカ振動フイルム構造に対する改良で、炭素繊維を乱れ糸状方向不定に分散された組織、または炭素繊維の成分を１００％に引き下げて、有機または無機繊維と組合せた組成により、極めて薄い片体に仕上げる。この構造体は金属製高音スピーカ振動フイルム構造自体は柔らかく、ナイロン糸または繭糸製高音スピーカ振動フイルム構造に比べて硬い、適切な硬さの特長がある。このため、音声出力の音質が清楚で柔らかい一種新しい高音スピーカ振動フイルム構造を提供する。
【図面の簡単な説明】
【０００９】
【図１】本考案の成型フロー図である。
【図２】本発明の構造図である。
【符号の説明】
【００１０】
１  炭素繊維
２  有機繊維
３  リング
【図１】
0003124526.tif 000003
【図２】
0003124526.tif 000004
【手続補正書】
【提出日】平成18年4月4日(2006.4.4)
【手続補正１】
【補正対象書類名】実用新案登録請求の範囲
【補正対象項目名】請求項１
【補正方法】変更
【補正の内容】
【請求項１】
炭素繊維を裁断し、乱れ糸状に分散された方向不定形状組織にし、紙シートのような薄い片体に成型加工した後、より薄い、様々な形状の高音スピーカ振動フイルムにすることができることを特徴とする高音スピーカ振動フイルムの構造。
【手続補正２】
【補正対象書類名】明細書
【補正対象項目名】０００５
【補正方法】変更
【補正の内容】
【０００５】
請求項１の考案は、炭素繊維を裁断し、乱れ糸状に分散された方向不定形状組織にし、紙シートのような薄い片体に成型加工した後、より薄い、様々な形状の高音スピーカ振動フイルムにすることができることを特徴とする高音スピーカ振動フイルムの構造としている。
請求項２の考案は、炭素繊維を乱れ糸状に分散された方向不定の組織にし、成型する高音スピーカ振動フイルムの炭素繊維含量を１００％以下にし、有機または無機繊維を添加できることを特徴とする請求項１記載の高音スピーカ振動フイルムの構造としている。
請求項３の考案は、最終に仕上げる薄い片体の厚みは０．０２〜０．１５ｍｍであることを特徴とする請求項１記載の高音スピーカ振動フイルムの構造としている。
【手続補正書】
【提出日】平成18年6月16日(2006.6.16)
【手続補正１】
【補正対象書類名】実用新案登録請求の範囲
【補正対象項目名】全文
【補正方法】変更
【補正の内容】
【実用新案登録請求の範囲】
【請求項１】
１００％以下の炭素繊維に有機または無機繊維を添加することにより構成された高音スピーカ振動フイルムは薄い片体を呈し、該薄い片体の厚みは０．０２〜０．１５ｍｍであることを特徴とする高音スピーカ振動フイルムの構造。
【請求項２】
該薄い片体に含まれる炭素繊維は乱れ糸状に分散された方向不定形状であることを特徴とする請求項１記載の高音スピーカ振動フイルムの構造。
【手続補正２】
【補正対象書類名】明細書
【補正対象項目名】０００５
【補正方法】変更
【補正の内容】
【０００５】
請求項１の考案は、１００％以下の炭素繊維に有機または無機繊維を添加することにより構成された高音スピーカ振動フイルムは薄い片体を呈し、該薄い片体の厚みは０．０２〜０．１５ｍｍであることを特徴とする高音スピーカ振動フイルムの構造としている。
請求項２の考案は、該薄い片体に含まれる炭素繊維は乱れ糸状に分散された方向不定形状であることを特徴とする請求項１記載の高音スピーカ振動フイルムの構造としている。